(57)【要約】【課題】  正確に日誌を作成して確実に引継業務を実施し、入力作業の省力化を図る。【解決手段】  支援サーバ２は、保修管理サーバ８及び作業管理サーバ１１から、工事情報を取得し、工事情報データベースに記憶（記録）させ、日誌の日付、運転部署、設備に対応した工事情報を、工事情報データベースを検索して読み出し、この工事情報を、本日の日誌に記載し、操作端末３ａ（３ｂ，３ｃ，…）へ送信する。操作端末３ａ（３ｂ，３ｃ，…）の表示部の工事情報表示領域には、工事情報がすでに入力されている。【選択図】  図1
2010186392.tif 000002
【特許請求の範囲】
【請求項１】
日誌を記録する日誌記憶部と、前記日誌を前記日誌記憶部に登録する日誌登録手段とを備えた日誌作成支援装置であって、
前記日誌に記載されるべき記載情報のうち、少なくとも前の日から継続している継続記載情報を、予め前記日誌に記載しておく予備記載手段を備え、
前記日誌登録手段は、前記継続記載情報を含む前記記載情報が記載された前記日誌を、前記日誌記憶部に登録する
ことを特徴とする日誌作成支援装置。
【請求項２】
ネットワークを介して、前記日誌に記載すべき前記記載情報に関する関連情報を扱うデータベースを有する情報処理装置が接続され、
前記日誌登録手段は、前記情報処理装置から前記関連情報を受け取ると、前記記載情報の一部として、前記関連情報を、前記日誌記憶部に登録する
ことを特徴とする請求項１に記載の日誌作成支援装置。
【請求項３】
当日の前記日誌に記載すべき前記記載情報のうち、翌日以降の前記日誌に再記載すべき前記継続記載情報としての再記載情報があるか否かを判定する再記載要否判定手段を備え、
前記予備記載手段は、前記再記載要否判定手段が、前記再記載情報ありと判定した場合に、前記再記載情報を、予め翌日の前記日誌に記載しておく
ことを特徴とする請求項１又は２に記載の日誌作成支援装置。
【請求項４】
前記日誌の前記記載情報は、設備に関する情報を含み、前記関連情報は、前記設備に関し、少なくとも一部は前記継続記載情報としての工事情報を含み、記載項目は、前記設備の種類毎に設定されることを特徴とする請求項２又は３に記載の日誌作成支援装置。
【請求項５】
前記継続記載情報は、前記設備に関する計測値又は設定値の一部を含み、前記予備記載手段は、翌日の前記日誌の前記記載情報として、当日の前記計測値又は前記設定値の一部を、翌日の前記日誌に記載することを特徴とする請求項４に記載の日誌作成支援装置。
【請求項６】
前記日誌記憶部に記録された前記日誌を検索する日誌検索手段と、前記日誌を表示する表示手段を制御し、前記日誌をカレンダーとともに表示させる表示制御手段とを備え、前記日誌記憶部は、前記日誌を日付に対応付けて記録し、前記日誌検索手段は、前記表示手段に表示された前記カレンダーの日付けが指示選択されると、対応する日付の前記日誌を検索する
ことを特徴とする請求項１乃至５のいずれか１に記載の日誌作成支援装置。
【請求項７】
日誌を日誌記憶部に登録する日誌登録ステップを含む日誌作成支援方法であって、
前記日誌に記載されるべき記載情報のうち、少なくとも前の日から継続している継続記載情報を、予め前記日誌に記載しておく予備記載ステップを含み、
前記日誌登録ステップでは、前記継続記載情報を含む前記記載情報が記載された前記日誌を、前記日誌記憶部に登録する
ことを特徴とする日誌作成支援方法。
【請求項８】
日誌を日誌記憶部に登録する日誌登録ステップを含む日誌作成支援方法をコンピュータに実行させるための日誌作成支援プログラムであって、
前記日誌に記載されるべき記載情報のうち、少なくとも前の日から継続している継続記載情報を、予め前記日誌に記載しておく予備記載ステップをコンピュータに実行させ、
前記日誌登録ステップでは、前記継続記載情報を含む前記記載情報が記載された前記日誌を、前記日誌記憶部に登録する
ことを特徴とする日誌作成支援プログラム。
【発明の詳細な説明】
【技術分野】
【０００１】
この発明は、日誌を作成する際に用いられる日誌作成支援装置、日誌作成支援方法及び日誌作成支援プログラムに関する。
【背景技術】
【０００２】
発電所等の事業所では、発電設備の２４時間体制の稼働に対応して、例えば、３交代制で発電設備の監視が行われる。この発電設備の運転業務では、オペレータ（運転員）の交代の際に、運転状況や保修工事の進捗状況等の引継ぎを行うため、日誌（オペレータ日誌）が用いられている（例えば、特許文献１参照。）。
【０００３】
この日誌は、運転部署（事業所）毎に入力様式が異なり、それぞれ、汎用ワープロソフトを用いて１日単位で作成される。日誌は、設備毎に入力項目が設定され、図１６に示すように、日誌参照システム１０１のデータベースに登録され、共有化して利用される。また、設備に関する保修工事の作業状況は、保修工事システム１０２の管理サーバのデータベース１０３に登録された工事情報（工事件名、工事内容、進捗状況、工事結果等）を参照したり、現場の工事状況を確認して、オペレータ（運転員）Ｓが操作端末１０４から直接入力して日誌を作成している。
【先行技術文献】
【特許文献】
【０００４】
【特許文献１】特開２００７−２７２５２１号公報
【発明の概要】
【発明が解決しようとする課題】
【０００５】
しかし、保修工事の進捗状況等継続する情報については、オペレータ（運転員）が工事の状況を把握して記載する必要があり、誤入力や入力忘れの虞がある上に、煩雑で時間と手間がかかる。
【０００６】
この発明は、前記の課題を解決し、正確に日誌を作成して確実に引継業務を実施することができるとともに、入力作業の省力化を図ることができる日誌作成支援装置、日誌作成支援方法及び日誌作成支援プログラムを提供することを目的としている。
【課題を解決するための手段】
【０００７】
前記の課題を解決するために、請求項１の発明は、日誌を記録する日誌記憶部と、前記日誌を前記日誌記憶部に登録する日誌登録手段とを備えた日誌作成支援装置であって、前記日誌に記載されるべき記載情報のうち、少なくとも前の日から継続している継続記載情報を、予め前記日誌に記載しておく予備記載手段を備え、前記日誌登録手段は、前記継続記載情報を含む前記記載情報が記載された前記日誌を、前記日誌記憶部に登録することを特徴としている。
【０００８】
請求項１の発明では、予備記載手段が、日誌に記載されるべき記載情報のうち、少なくとも前の日から継続している継続記載情報を、予め日誌に記載しておき、日誌登録手段が、継続記載情報を含む記載情報が記載された日誌を、日誌記憶部に登録する。
【０００９】
請求項２の発明は、請求項１に記載の日誌作成支援装置であって、ネットワークを介して、前記日誌に記載すべき前記記載情報に関する関連情報を扱うデータベースを有する情報処理装置が接続され、前記日誌登録手段は、前記情報処理装置から前記関連情報を受け取ると、前記記載情報の一部として、前記関連情報を、前記日誌記憶部に登録することを特徴としている。
【００１０】
請求項３の発明は、請求項１又は２に記載の日誌作成支援装置であって、当日の前記日誌に記載すべき前記記載情報のうち、翌日以降の前記日誌に再記載すべき前記継続記載情報としての再記載情報があるか否かを判定する再記載要否判定手段を備え、前記予備記載手段は、前記再記載要否判定手段が、前記再記載情報ありと判定した場合に、前記再記載情報を、予め翌日の前記日誌に記載しておくことを特徴としている。
【００１１】
請求項４の発明は、請求項２又は３に記載の日誌作成支援装置であって、前記日誌の前記記載情報は、設備に関する情報を含み、前記関連情報は、前記設備に関し、少なくとも一部は前記継続記載情報としての工事情報を含み、記載項目は、前記設備の種類毎に設定されることを特徴としている。
【００１２】
請求項５の発明は、請求項４に記載の日誌作成支援装置であって、前記継続記載情報は、前記設備に関する計測値又は設定値の一部を含み、前記予備記載手段は、翌日の前記日誌の前記記載情報として、当日の前記計測値又は前記設定値の一部を、翌日の前記日誌に記載することを特徴としている。
【００１３】
請求項６の発明は、請求項１乃至５のいずれか１に記載の日誌作成支援装置であって、前記日誌記憶部に記録された前記日誌を検索する日誌検索手段と、前記日誌を表示する表示手段を制御し、前記日誌をカレンダーとともに表示させる表示制御手段とを備え、前記日誌記憶部は、前記日誌を日付に対応付けて記録し、前記日誌検索手段は、前記表示手段に表示された前記カレンダーの日付けが指示選択されると、対応する日付の前記日誌を検索することを特徴としている。
【００１４】
請求項７の発明は、日誌を日誌記憶部に登録する日誌登録ステップを含む日誌作成支援方法であって、前記日誌に記載されるべき記載情報のうち、少なくとも前の日から継続している継続記載情報を、予め前記日誌に記載しておく予備記載ステップを含み、前記日誌登録ステップでは、前記継続記載情報を含む前記記載情報が記載された前記日誌を、前記日誌記憶部に登録することを特徴としている。
【００１５】
請求項８の発明は、日誌を日誌記憶部に登録する日誌登録ステップを含む日誌作成支援方法をコンピュータに実行させるための日誌作成支援プログラムであって、前記日誌に記載されるべき記載情報のうち、少なくとも前の日から継続している継続記載情報を、予め前記日誌に記載しておく予備記載ステップをコンピュータに実行させ、前記日誌登録ステップでは、前記継続記載情報を含む前記記載情報が記載された前記日誌を、前記日誌記憶部に登録することを特徴としている。
【発明の効果】
【００１６】
請求項１の発明によれば、予備記載手段が、日誌に記載されるべき記載情報のうち、少なくとも前の日から継続している継続記載情報を、予め日誌に記載しておき、日誌登録手段が、継続記載情報を含む記載情報が記載された日誌を、日誌記憶部に登録するので、記入漏れや誤りが生じることなく正確に日誌を作成し、かつ、入力作業の省力化を図ることができる。
【００１７】
請求項２の発明によれば、日誌登録手段が、情報処理装置から関連情報を受け取ると、記載情報の一部として、関連情報を、日誌記憶部に登録するので、一段と正確に日誌を作成し、かつ、一段と入力作業の省力化を図ることができる。
【００１８】
請求項３の発明によれば、再記載要否判定手段が、当日の日誌に記載すべき記載情報のうち、翌日以降の日誌に再記載すべき継続記載情報としての再記載情報があるか否かを判定し、予備記載手段が、再記載情報を、予め翌日の日誌に記載しておくので、翌日の日誌への転記が必要な場合に、確実に転記することができる。
【００１９】
請求項４の発明によれば、記載項目は、設備の種類毎に設定されるので、汎用性を高め、例えば、種々の設備の日誌の作成を同一のシステムで運用することができる。
【００２０】
請求項５の発明によれば、予備記載手段は、翌日の日誌の記載情報として、当日の計測値又は設定値の一部を、翌日の日誌に記載するので、入力誤りを防止し、かつ、入力の手間を省くことができる。
【００２１】
請求項６の発明によれば、日誌検索手段は、表示手段に表示されたカレンダーの日付けが指示選択されると、対応する日付の日誌を検索するので、日付に対応する所望の日誌を容易にかつ迅速に参照することができる。
【００２２】
請求項７の発明によれば、予備記載ステップで、日誌に記載されるべき記載情報のうち、少なくとも前の日から継続している継続記載情報を、予め日誌に記載しておき、日誌登録ステップで、継続記載情報を含む記載情報が記載された日誌を、日誌記憶部に登録するので、記入漏れや誤りが生じることなく正確に日誌を作成し、かつ、入力作業の省力化を図ることができる。
【００２３】
請求項８の発明によれば、コンピュータに予備記載ステップを実行させて、日誌に記載されるべき記載情報のうち、少なくとも前の日から継続している継続記載情報を、予め日誌に記載しておき、日誌登録ステップを実行させて、継続記載情報を含む記載情報が記載された日誌を、日誌記憶部に登録するので、記入漏れや誤りが生じることなく正確に日誌を作成し、かつ、入力作業の省力化を図ることができる。
【図面の簡単な説明】
【００２４】
【図１】この発明の実施の形態１による日誌作成支援システムの構成を示す図である。
【図２】同日誌作成支援システムの構成及び機能を説明するための説明図である。
【図３】同支援サーバの記憶部の構成を示すブロック図である。
【図４】同日誌作成支援システムの操作端末の表示部に表示される日誌の内容を説明するための説明図である。
【図５】同操作端末の構成を示すブロック図である。
【図６】同日誌作成支援システムに接続される日常保修管理システムの構成を示す図である。
【図７】同日常保修管理システムの機能を説明するための説明図である。
【図８】同日誌作成支援システムに接続される作業管理システムの構成を示す図である。
【図９】同作業管理システムの機能を説明するための説明図である。
【図１０】同日誌作成支援システムを用いた日誌作成支援方法を説明するための処理手順図である。
【図１１】同日誌作成支援方法を説明するための説明図である。
【図１２】同日誌作成支援方法を説明するための説明図である。
【図１３】同日誌作成支援システムを用いた日誌情報検索処理方法を説明するための処理手順図である。
【図１４】実施の形態２による日誌作成支援システムの操作端末の表示部に表示される日誌の内容を説明するための説明図である。
【図１５】同日誌作成支援システムを用いた日誌作成支援方法を説明するための処理手順図である。
【図１６】従来技術を説明するための説明図である。
【発明を実施するための形態】
【００２５】
次に、この発明の実施の形態について、図面を用いて詳しく説明する。
【００２６】
（実施の形態１）
図１は、この発明の実施の形態１による日誌作成支援システムの構成を示す図、図２は、同日誌作成支援システムの構成及び機能を説明するための説明図である。図１及び図２に示すように、日誌作成支援システム１は、発電所等の各運転部署（事業所）における日誌の作成を支援する支援サーバ２と、各運転部署に設置される操作端末３ａ，３ｂ，…とが、ネットワーク４を介して接続されて概略構成されている。また、支援サーバ２には、ネットワーク４を介して、ともに設備に関する工事情報を扱うデータベースを有する情報処理装置としての日常保修管理システム７の保修管理サーバ８と、作業管理システム９の作業管理サーバ１１とが、接続されている。日常保修管理システム７及び作業管理システム９で扱われる上記工事情報は、日誌に記載すべき記載情報に関する関連情報に含まれるとともに、少なくともその一部は、日誌に記載される継続記載情報とされる。
【００２７】
図３は、同支援サーバの記憶部の構成を示すブロック図である。支援サーバ２は、所定の制御プログラムに従って構成各部を制御する制御部と、各種制御プログラムやデータが記憶（記録）される記憶部１４と、所定のプロトコルに従ってデータ通信を行うための通信部とを有している。
【００２８】
制御部は、ＣＰＵ（Ｃｅｎｔｒａｌ  Ｐｒｏｃｅｓｓｉｎｇ  Ｕｎｉｔ）等からなり、記憶部１４に記憶された所定の制御プログラムに従って構成各部を制御する。日誌作成支援システム１においては、例えば、工事情報取得処理（図１０のステップＳＡ１３０及びステップＳＡ１７０）や、工事情報記載処理（図１０のステップＳＡ２００及びステップＳＡ２１０）、日誌情報登録処理（図１０のステップＳＡ２４０）、負荷情報転記処理（図１０のステップＳＡ２２０）、日誌情報検索処理（図１３のステップＳＤ１００〜ステップＳＤ１３０）等が実行される。
【００２９】
支援サーバ２は、工事情報取得処理で、保修管理サーバ８及び作業管理サーバ１１から、工事情報を取得し、工事情報データベース２２に記憶（記録）させる。ここで、各工事情報を、運転部署、設備、日付に対応付けて記憶（記録）させる。支援サーバ２は、予備記載手段として、工事情報記載処理で、日誌の日付、運転部署、設備に対応した工事情報を、工事情報データベース２２を検索して読み出し、この工事情報を、少なくともその一部を継続記載情報として本日の日誌に記載する。
【００３０】
継続記載情報は、こうした工事情報や、後述する負荷情報のほか、担当職員が、引継ぎが必要と判断した任意の情報を含んでいる。例えば、完了扱いとされた案件で未解決の問題が新たに発見されたような場合に、過去の情報が再記載されても良いし、参照すべきと判断された所定の日付の日誌内容の引用や、設備以外の例えば職員に関する情報等が含まれていても良い。また、例えば、工事情報データベース２２から、所定の日付や、運転部署、設備、担当職員名等を検索キーとして、所望の情報を検索して、継続記載情報として本日の日誌に記載されても良い。また、日誌内容データベース２１から、所定の日付けや、運転部署、設備、担当職員の職員コード等を検索キーとして、その日付けの日誌の記事を検索して、継続記載情報として本日の日誌に記載されても良い。また、引継ぎ直前までの運転状況を負荷曲線に表して、継続記載情報として本日の日誌に記載されても良い。
【００３１】
支援サーバ２は、日誌情報登録処理で、操作端末３ａ（３ｂ，３ｃ，…）へ、最新の工事情報が記載された日誌情報を送り、記載済みの本日の日誌を日誌内容データベース２１に登録させる。これにより、オペレータは、図２に示すように、例えば、運転状況や設備状況等を入力すれば、工事情報は、入力する必要がない。なお、この例では、運転部署（事業所）毎のほか、設備毎に、入力項目が設定され、入力形式（例えば、テキストのみ、時間表示や、設備等の名称の統一）のみが統一されている。ここで、設備毎に、項目名称や、詳細な入力形式、再記載（転記）の要否等が設定される。
【００３２】
図４は、同日誌作成支援システムの操作端末の表示部に表示される日誌の内容を説明するための説明図である。操作端末３ａ（３ｂ，３ｃ，…）の表示部２８に表示される日誌表示画面には、例えば、図４に示すように、日付表示領域２８ａと、運転部署名表示領域２８ｂと、設備名表示領域２８ｃと、カレンダー表示領域２８ｄと、担当職員情報表示領域２８ｅと、負荷曲線表示領域２８ｆと、運転状況表示領域２８ｇと、設備状況表示領域２８ｈと、工事情報表示領域２８ｉとが設定されている。工事情報表示領域２８ｉには、工事情報（作業依頼票データや保修工事データ）が自動的に表示される（図１１及び図１２参照）。運転状況表示領域２８ｇや、設備状況表示領域２８ｈには、例えば、その設備について、イベント発生の時刻やその内容等が表示される。
【００３３】
また、支援サーバ２は、予備記載手段として、負荷情報転記処理で、設備に関する計測値としての負荷データの前日の最終値を本日の最初値として記載する。また、本日の最終値を、翌日の最初値として（すなわち、継続記載情報として）記載する。負荷曲線表示領域２８ｆには、負荷データがグラフ化されて負荷曲線が表示される。また、日誌作成支援システム１は、日誌情報検索処理で、カレンダーが表示された状態で、所定の日付にマウスのポインタが合わされ、クリックされて、この日付が指示選択されると、この日付けに対応する日誌を、日誌内容データベース２１から検索する。また、日誌作成支援システム１は、日誌情報検索処理で、例えば、キーワード検索により、所定の日付や、設備等が選択されると、リストが表示された状態で、選択することによって、所定の日誌を表示させるようにする。
【００３４】
記憶部１４は、ＲＯＭ、ＲＡＭや、ＦＤ（フレキシブル・ディスク）、ＨＤ（ハード・ディスク）、ＣＤ−ＲＯＭが装着されるＦＤＤ、ＨＤＤ、ＣＤ−ＲＯＭドライバ等からなっている。
【００３５】
記憶部１４は、図３に示すように、設備種別データベース１８と、入力項目データベース１９と、日誌内容データベース２１と、工事情報データベース２２とを有している。設備種別データベース１８には、運転部署（事業所）毎に、設備種別情報がデータベース化されて記憶（記録）されている。入力項目データベース１９には、運転部署毎、及び設備毎に、予め設定された対応する入力項目が記憶（記録）されている。
【００３６】
日誌内容データベース２１には、日付、運転部署、設備に対応付けられて、登録済みの日誌や、工事情報のみ記載された登録予定の日誌が記録されている。工事情報データベース２２には、日常保修管理システム７から取得した作業依頼票情報や、作業管理システム９から取得した保修工事情報が、少なくとも、日付、運転部署、設備に対応付けられて、記憶（記録）されている。
【００３７】
図５は、操作端末の構成を示すブロック図である。操作端末３ａ（３ｂ，３ｃ，…）は、図５に示すように、所定の制御プログラムに従って構成各部を制御する制御部２４と、各種プログラムやデータが記憶（記録）される記憶部２５と、所定のプロトコルに従ってデータ通信を行う通信部２６と、データの入力や指示を行うためのマウス及びキーボードからなる入力部２７と、日誌を表示する表示部２８と、日誌を印刷する印刷部２９とを備えている。
【００３８】
図６は、日誌作成支援システムに接続される日常保修管理システムの構成を示す図、図７は、同日常保修管理システムの機能を説明するための説明図、図８は、同日誌作成支援システムに接続される作業管理システムの構成を示す図、図９は、同作業管理システムの機能を説明するための説明図である。日常保修管理システム７は、図６に示すように、保修管理サーバ８と、発電所等の各運転部署（事業所）に設置される運転部署端末３２ａ，３２ｂ，…と、工事部署端末３３と、請負者端末３４とが、ネットワーク４を介して接続されて概略構成されている。
【００３９】
保修管理サーバ８は、図７に示すように、例えばパトロール時の不調発見等を受けて、運転部署端末３２ａで作成された作業依頼票を受け取り、保修管理情報データベース８ａに記憶（記録）し（図２参照）、工事部署端末３３で作成された工事票を請負者端末３４へ送付し、工事完了後に請負者端末３４で作成された検収原票を受け取る。この例では、保修管理サーバ８は、受け取った作業依頼票を、送信要求を受けると支援サーバ２へ送付する。保修管理情報データベース８ａには、作業依頼票データや、作業票データ等の工事情報を含む保修管理情報が記憶（記録）される。
【００４０】
作業管理システム９は、図８に示すように、作業管理サーバ１１と、発電所等の各運転部署（事業所）に設置される運転部署端末３７ａ，３７ｂ，…と、工事部署端末３８とが、ネットワーク４を介して接続されて概略構成されている。作業管理サーバ１１は、図９に示すように、工事部署端末３８で作成され、運転部署で実施される作業時の被ロック機器等の情報を含む作業票を、運転部署端末３７ａ，３７ｂ，…へ送付し、この後の作業の進捗管理処理を行う。作業管理サーバ１１は、この進捗管理処理で、作業状況、工事内容、作業結果等の工事情報を含む作業管理情報を、作業管理情報データベース１１ａに記憶（記録）するとともに（図２参照）、支援サーバ２へ送付する。
【００４１】
なお、被ロック機器情報は、作業の安全性を確保するためにロックされる機器等の情報であり、ロックされる機器については、標識（補助標識、作業操作標識）が発行され、ロック中は、操作禁止札として機器に取り付けられる。また、工事・作業情報としては、日常保修管理システム７と連携される工事の情報と、この作業管理システム９において、独自に作成される工事の情報とを含んでいる。
【００４２】
次に、上記構成の日誌作成支援システムを用いた日誌作成支援方法について説明する。図１０は、日誌作成支援システムを用いた日誌作成支援方法を説明するための処理手順図、図１１及び図１２は、同日誌作成支援方法を説明するための説明図、図１３は、同日誌作成支援システムを用いた日誌情報検索処理方法を説明するための処理手順図である。例として、支援サーバ２が、保修管理サーバ８及び作業管理サーバ１１からそれぞれ１回工事情報を取得した後に、工事情報の日誌への記載及び日誌の登録処理を行う場合について述べる。
【００４３】
日誌作成支援システム１が、作業依頼票送信要求を、日常保修管理システム７へ送出すると（ステップＳＡ１００（図１０））、日常保修管理システム７は、この作業依頼票送信要求を受けて、図１１及び図１２に示すように、運転部署端末３２ａから受け取った作業依頼票を編集して（ステップＳＢ１１０）、日誌作成支援システム１へ送信する（ステップＳＢ１２０）。支援サーバ２は、工事情報取得処理で、工事情報としての作業依頼票を受信すると、工事情報データベース２２に記憶（記録）させる。ここで、作業依頼票を、運転部署、設備、日付に対応付けて記憶（記録）させる（ステップＳＡ１３０）。作業依頼票は、作業件名、内容、緊急度等の情報を含んでいる。
【００４４】
日常保修管理システム７は、図１２に示すように、工事部署端末３３で作成された工事票データを、作業管理システム９へ送信する（ステップＳＢ１４０）。作業管理サーバ１１は、工事票データを、作業管理情報データベース１１ａに記憶（記録）させる（ステップＳＣ１５０）。作業管理システム９は、保修工事データを支援サーバ２へ送信する（ステップＳＣ１６０）。
【００４５】
支援サーバ２は、工事情報取得処理で、工事情報としての保修工事データを受信すると、工事情報データベース２２に記憶（記録）させる（ステップＳＡ１７０）。ここで、保修工事データを、運転部署、設備、日付に対応付けて記憶（記録）させる。保修工事データは、作業件名、作業状況、作業内容、作業結果等の情報を含んでいる。作業管理システム９は、作業票データを日常保修管理システム７へ送信し（ステップＳＣ１８０）、日常保修管理システム７は、作業票データを受け取ると、これを保修管理情報データベース８ａに記憶（記録）させる（ステップＳＢ１９０）。こうして、結果的に、一部重複して工事情報を記憶（記録）する工事情報データベース２２、保修管理情報データベース８ａ、及び作業管理情報データベース１１ａが、分散配置されることとなる。
【００４６】
支援サーバ２は、工事情報記載処理で、日誌の日付、運転部署、設備に対応した工事情報を、工事情報データベース２２を検索して読み出し（ステップＳＡ２００）、この工事情報を、本日の日誌に記載する（ステップＳＡ２１０）。支援サーバ２は、さらに、負荷情報転記処理で、設備に関する計測値としての負荷データの前日の最終値を本日の最初値として記載する（ステップＳＡ２２０）。負荷曲線表示領域２８ｆには、負荷データがグラフ化されて負荷曲線が表示される。支援サーバ２は、継続記載情報としての工事情報や負荷データが記載された日誌を、操作端末３ａ（３ｂ，３ｃ，…）へ送信する（ステップＳＡ２３０）。操作端末３ａ（３ｂ，３ｃ，…）の表示部２８の工事情報表示領域２８ｉには、図１１に示すように、工事情報がすでに入力されている。
【００４７】
支援サーバ２は、日誌情報登録処理で、記載済みの本日の日誌を日誌内容データベース２１に登録させる（ステップＳＡ２４０）。
【００４８】
なお、例として、前回（前日）の日誌の登録から、今回（本日）の工事情報の日誌への記載までに、保修管理サーバ８及び作業管理サーバ１１からの工事情報の受信がそれぞれ１回の場合について述べたが、一般に、それぞれ、０回の場合も、２回以上の場合もあり得る。いずれにしても最新の工事情報が、今回の日誌に記載される。
【００４９】
また、日誌作成支援システム１は、日誌情報検索処理で、カレンダ表示情報を操作端末３ａ（３ｂ，３ｃ，…）へ送信し（ステップＳＤ１００（図１３））、図２に示すように、カレンダーが表示された状態で、所定の日付に入力部２７のマウスのポインタが合わされ、クリックされて、この日付が指示選択されると、この日付指示選択信号を受信し（ステップＳＤ１１０）、この日付けに対応する日誌を、日誌内容データベース２１から検索し（ステップＳＤ１２０）、検索した日誌表示情報を操作端末３ａ（３ｂ，３ｃ，…）へ送信する（ステップＳＤ１３０）。また、日誌作成支援システム１は、日誌情報検索処理で、例えば、キーワード検索により、所定の日付や、設備等が選択されると、リストが表示された状態で、選択することによって、所定の日誌を表示させるようにする。
【００５０】
こうして、この実施の形態の構成によれば、工事件名や工事内容、進捗状況、工事結果等の工事情報が、自動的に本日の日誌に記載されるので、特に継続中の工事の情報について、記入漏れや誤りが生じることなく正確に日誌を作成し、確実に引継業務を実施することができる。また、最新の工事情報が自動的に日誌に記載されるので、入力作業の省力化を図ることができる。
【００５１】
すなわち、日常保修管理システム７の保修管理サーバ８から、作業依頼票が、作業管理システム９の作業管理サーバ１１から、保修工事データが、支援サーバ２に送信されると、登録前に自動的に、該当する運転部署、設備に対応する日誌に記載されるので、入力の手間もいらず、かつ、正確かつ確実に引継ぎを行うことができる。また、運転部署と工事部署とで、工事情報を常に共有することができる。また、常に更新された状態で、日誌に工事情報が記載されるので、工事情報に関して、再記載（転記）の要否も判定する必要がない。
【００５２】
また、本日の負荷曲線の最終の値を翌日の最初の値として、自動的に翌日の日誌に転記するので、入力誤りを防止し、かつ、入力の手間を省くことができる。
【００５３】
また、日誌への入力項目を統一していないので、高い汎用性によって、種々の設備の日誌の作成を同一のシステムで運用することができる。また、従来の方法を踏襲することができるので、円滑に導入することができる。また、カレンダーの日付を指示選択するのみで、日付に対応する所望の日誌を参照することができる。すなわち、従来技術では、例えば、引継ぎの際に、所定期間の日誌を一括して参照したいような場合に、手間がかかって操作性が悪かったことに比較して、容易にかつ迅速に参照することができる。したがって、引継ぎを円滑かつ迅速に行うことができる。
【００５４】
（実施の形態２）
図１４は、実施の形態２による日誌作成支援システムの操作端末の表示部に表示される日誌の内容を説明するための説明図、図１５は、同日誌作成支援システムを用いた日誌作成支援方法を説明するための処理手順図である。この例の構成が上述した実施の形態１の構成と大きく異なるところは、前日の日誌の転記要否情報に基づいて、本日の日誌に転記するか否か判定するように構成した点である。
【００５５】
この例の日誌作成支援システム１においては、工事情報取得処理、工事情報記載処理、日誌情報登録処理、負荷情報転記処理、日誌情報検索処理に加えて、再記載要否判定手段として、転記要否判定処理が実行される。
【００５６】
支援サーバ２は、転記要否判定処理で、例えば、図１４に示すように、前日の日誌のなかの特記事項が表示される特記事項表示領域２８ｐの記事に対応したチェック枠内に転記要否判定用のチェックが入っている場合には、この記事を要転記情報として（すなわち、継続記載情報として）、本日の日誌に転記する。
【００５７】
支援サーバ２は、ステップＳＥ１００（図１５）で、転記要否判定処理を行う。すなわち、支援サーバ２は、前日の日誌の転記要否情報があるか否か、すなわち、前日の日誌のなかに、対応したチェック枠内に転記要否判定用のチェックが入った記事があるか否か判定し、ある場合は、ステップＳＥ１１０へ進み、ない場合は、ステップＳＥ１２０へ進む。
【００５８】
ステップＳＥ１１０では、支援サーバ２は、予備記載手段として、要転記情報を本日の日誌に転記し、ステップＳＥ１２０で、日誌の日付、運転部署、設備に対応した工事情報を、工事情報データベース２２を検索して読み出し、この工事情報を、本日の日誌に記載し、操作端末３ａ（３ｂ，３ｃ，…）へ送信する（ステップＳＥ１３０）。
【００５９】
支援サーバ２は、記載済みの本日の日誌を日誌内容データベース２１に登録させる（ステップＳＥ１４０）。
【００６０】
この例の構成によれば、上述した実施の形態１と略同様の効果を得ることができる。加えて、例えば、まだ、作業依頼していない工事であっても、要転記事項として、確実に引継ぎを実施することができる。
【００６１】
以上、この発明の実施の形態を図面を参照して詳述してきたが、具体的な構成はこれらの実施の形態に限られるものではなく、この発明の要旨を逸脱しない範囲の設計の変更等があってもこの発明に含まれる。例えば、上述した実施の形態１では、支援サーバと操作端末とからシステムを構成する場合について述べたが、これに限らず、支援サーバを日誌作成支援装置として単独で用いても良い。また、支援サーバの代わりに、作業管理サーバ等が、工事情報に対応する設備を検索し、作業管理サーバ等から操作端末へ工事情報を送信しても良い。また、例えば、事業所単位で、支援サーバを配置しても良いし、独立したシステムとしても良い。各事業所で、各システムの端末を共有としても良い。また、カレンダーの日付けは、範囲指定しても良い。また、複数の日誌を同時に表示させても良い。この場合、分割表示でも重複表示でも良い。
【００６２】
また、例えば、本日の日誌登録後に、翌日の日誌への再記載（転記）要否の判定を行うようにしても良い。例えば、工事情報のなかで、工事状況が「完了」以外の工事情報がある場合に、該当する工事情報を再記載するものとしても良い。ここで、前日の日誌で、工事状況を「完了」と記載した工事情報は、本日の日誌には、不記載としても良いし、再記載しても良い。
【００６３】
また、工事情報の日誌への記載を、工事情報を取得次第、本日の日誌に記載し、最新の工事情報が記載された日誌を操作端末へ送る場合について述べたが、翌日の日誌への工事情報の記載も、本日の日誌の登録後に記載しても良いし、工事情報を取得次第、翌日の日誌に記載し、常に更新するようにしても良い。また、操作端末において、日誌を受信した際に、注意を促す音声を出力させるようにしても良い。また、操作端末からの日誌表示情報要求があった後に、工事情報を日誌へ記載するようにしても良い。この場合、日誌表示情報要求時に、記載しても良いし、登録前の所定の時刻に行っても良い。また、日誌の登録も登録要求があった後に行うようにしても良い。また、実施の形態２で、転記要否判断を、翌日に限らず、一定期間記載要と判断しても良い。
【００６４】
また、工事情報取得処理や、工事情報記載処理、日誌情報登録処理、負荷情報転記処理、日誌情報検索処理等を、制御部が、対応する制御プログラムを実行することによって行っても良いし、一部又は全部を専用のハードウェアを用いて行い、他の一部を対応するプログラムを実行して処理するようにしても良い。また、それぞれ別々のＣＰＵが実行しても良いし、例えば、単一のＣＰＵが実行しても良い。さらに、各処理を別々の情報処理装置が行うようにしても良いし、これらの情報処理装置は、集中させて配置しても、ネットワーク上に分散させて配置しても良い。また、単一の制御部（ＣＰＵ）を設けた場合について述べたが、複数設ける場合にも適用することができる。また、記憶部を、複数の制御部に対応させて、それぞれ専用に設けるようにしても良い。各データベースサーバを独立させても良いし、各サーバは、複数配置しても良いし、ネットワーク上の別の場所に設置しても良い。
【産業上の利用可能性】
【００６５】
日誌作成支援システムに連携するシステムは、単一でも３つ以上の場合でも適用できるし、工事情報以外の関連情報を扱うシステムの場合でも適用できる。
【符号の説明】
【００６６】
１  日誌作成支援システム（日誌登録手段、予備記載手段、再記載要否判定手段、日誌検索手段、表示制御手段の一部）
２  支援サーバ
３ａ，３ｂ，…  操作端末
４  ネットワーク
７  日常保修管理システム
８  保修管理サーバ
８ａ  保修管理情報データベース
９  作業管理システム
１１  作業管理サーバ
１１ａ  作業管理情報データベース
１４  記憶部
１８  設備種別データベース
１９  入力項目データベース
２１  日誌内容データベース（日誌記憶部）
２２  工事情報データベース
２４  制御部
２５  記憶部
２６  通信部
２７  入力部
２８  表示部
２８ａ  日付表示領域
２８ｂ  運転部署名表示領域
２８ｃ  設備名表示領域
２８ｄ  カレンダー表示領域
２８ｅ  担当職員情報表示領域
２８ｆ  負荷曲線表示領域
２８ｇ  運転状況表示領域
２８ｈ  設備状況表示領域
２８ｉ  工事情報表示領域
２８ｐ  特記事項表示領域
２９  印刷部
３２ａ，３２ｂ，…  運転部署端末
３３  工事部署端末
３４  請負者端末
３７ａ，３７ｂ，…  運転部署端末
３８  工事部署端末
【図１】
2010186392.tif 000003
【図２】
2010186392.tif 000004
【図３】
2010186392.tif 000005
【図４】
2010186392.tif 000006
【図５】
2010186392.tif 000007
【図６】
2010186392.tif 000008
【図７】
2010186392.tif 000009
【図８】
2010186392.tif 000010
【図９】
2010186392.tif 000011
【図１０】
2010186392.tif 000012
【図１１】
2010186392.tif 000013
【図１２】
2010186392.tif 000014
【図１３】
2010186392.tif 000015
【図１４】
2010186392.tif 000016
【図１５】
2010186392.tif 000017
【図１６】
2010186392.tif 000018